(57)【要約】【課題】  直進走行の基準位置が誤操作で取得されることを防止できると共に、部品数の増大を抑えることができる作業車両を提供することを目的とする。【解決手段】  作業装置と、車体２を操舵する操舵部材３５と、車体２の位置情報を取得する位置情報取得装置２００と、車体２の直進時に利用する基準位置情報を取得するユーザ指示を受付けるユーザ指示部材２０７と、車体２を直進させるように操舵部材３５を操作する直進装置２０５と、基準位置情報に基づき、直進装置２０５に操舵部材３５を操作させる自動直進制御を行う制御装置１００を備え、制御装置１００は、直進装置２０５による操舵部材３５の操作に関する複数の操舵部材操作モードの内から選択された操舵部材操作モードに応じた自動直進制御を実行し、操舵部材操作モードの選択は、選択された作業装置動作モードに連動して自動で行われる構成とする。【選択図】図６
2018183130.tif 000002
【特許請求の範囲】
【請求項１】
作業装置と、車体（２）を操舵する操舵部材（３５）と、前記車体（２）の位置情報を取得する位置情報取得装置（２００）と、前記車体（２）を直進させるときに利用される基準位置情報を取得するためのユーザ指示を受付けるユーザ指示部材（２０７）と、前記車体（２）を直進させるように前記操舵部材（３５）を操作する直進装置（２０５）と、前記基準位置情報に基づき、前記直進装置（２０５）に前記操舵部材（３５）を操作させるための自動直進制御を実行する制御装置（１００）を備える作業車両において、
前記制御装置（１００）は、前記直進装置（２０５）による前記操舵部材（３５）の操作に関する複数の操舵部材操作モードの内から選択された所定の前記操舵部材操作モードに応じた前記自動直進制御を実行し、
前記操舵部材操作モードの選択は、前記作業装置の動作に関する複数の作業装置動作モードの内から選択された所定の前記作業装置動作モードに連動して自動で行われることを特徴とする作業車両。
【請求項２】
前記作業装置を昇降させる昇降シリンダ（２５）を設け、前記作業装置にフロート（６２Ｃ）を圃場面に対して回動可能に設け、前記フロート（６２Ｃ）の回動角度を検知する回動ポテンショメータ（６４）を設け、前記制御装置（１００）は、回動ポテンショメータ（６４）の検知により昇降シリンダ（２５）を作動させて作業装置の作業位置を圃場の深さに合わせる構成とし、
前記制御装置（１００）が昇降シリンダ（２５）を作動させる前記回動ポテンショメータ（６４）の検知角度を増減させる感度ダイアルを設け、
前記操舵部材操作モードの自動選択は、前記感度ダイアルの操作位置により設定されることを特徴とする請求項１に記載の作業車両。
【請求項３】
前記車体（２）に操縦座席（４１）と、位置情報取得装置（２００）を装着するアンテナフレーム（２０１）を設け、
前記アンテナフレーム（２０１）は、前記操縦座席（４１）より機体前側と、前記操作座席（４１）より機体後方で固定することを特徴とする請求項１または２に記載の作業車両。
【請求項４】
前記アンテナフレーム（２０１）は、前側フレーム（２０１ａ）と後側フレーム（２０１ｂ）で構成し、前記前側フレーム（２０１ａ）と後側フレーム（２０１ｂ）は前記車体（２）の前後方向の中央部付近で連結し、
前記位置情報取得装置（２００）は、前記前側フレーム（２０１ａ）と後側フレーム（２０１ｂ）の接続部付近に設けることを特徴とする請求項３に記載の作業車両。
【発明の詳細な説明】
【技術分野】
【０００１】
本発明は、圃場内を走行し、走行車体に走行した作業装置で対地作業を行う作業車両に関する。
【背景技術】
【０００２】
従来の作業車両には、作業開始位置と作業終了位置の位置情報を、作業装置が入切されたときに自動で取得し、自動で取得した作業開始位置と作業終了位置から基準線を作成し、この基準線に沿ってハンドルを自動操舵し、機体を直進走行させる自動操舵装置を備えるものがある（たとえば、特許文献１参照）。
【先行技術文献】
【特許文献】
【０００３】
【特許文献１】特開２０１６−２１８９０号公報
【発明の概要】
【発明が解決しようとする課題】
【０００４】
このような従来の作業車両は、作業装置が入切された位置を作業開始位置及び作業終了位置として取得することができるので、作業開始位置及び作業終了位置を取得する操作が必要なく、操作性がよいという利点がある。
【０００５】
しかしながら、誤操作により作業装置の入または切が行われると、本来作業開始位置、または作業終了位置を取得すべき位置とは異なる位置で作業開始位置、または作業終了位置が取得されてしまうことがある。このときは、基準線を別の作業条で取り直す必要があり、その間は自動操舵装置が使用できず、精度の高い作業走行が行えない問題がある。
【０００６】
また、作業装置が入切される位置を作業開始位置、または作業終了位置として取得するには、作業装置の入切を検知する検知部材が必要になるので、機体を構成する部品数が増大する問題がある。
【０００７】
本発明は、上述された従来の課題を考慮し、直進走行の基準位置が誤操作で取得されることを防止できると共に、部品数の増大を抑えることができる作業車両を提供することを目的とする。
【課題を解決するための手段】
【０００８】
第１の本発明は、作業装置と、車体（２）を操舵する操舵部材（３５）と、前記車体（２）の位置情報を取得する位置情報取得装置（２００）と、前記車体（２）を直進させるときに利用される基準位置情報を取得するためのユーザ指示を受付けるユーザ指示部材（２０７）と、前記車体（２）を直進させるように前記操舵部材（３５）を操作する直進装置（２０５）と、前記基準位置情報に基づき、前記直進装置（２０５）に前記操舵部材（３５）を操作させるための自動直進制御を実行する制御装置（１００）を備える作業車両において、前記制御装置（１００）は、前記直進装置（２０５）による前記操舵部材（３５）の操作に関する複数の操舵部材操作モードの内から選択された所定の前記操舵部材操作モードに応じた前記自動直進制御を実行し、前記操舵部材操作モードの選択は、前記作業装置の動作に関する複数の作業装置動作モードの内から選択された所定の前記作業装置動作モードに連動して自動で行われることを特徴とする作業車両である。
【０００９】
第２の本発明は、前記作業装置を昇降させる昇降シリンダ（２５）を設け、前記作業装置にフロート（６２Ｃ）を圃場面に対して回動可能に設け、前記フロート（６２Ｃ）の回動角度を検知する回動ポテンショメータ（６４）を設け、制御装置（１００）は、回動ポテンショメータ（６４）の検知により昇降シリンダ（２５）を作動させて作業装置の作業位置を圃場の深さに合わせる構成とし、前記制御装置（１００）が昇降シリンダ（２５）を作動させる前記回動ポテンショメータ（６４）の検知角度を増減させる感度ダイアルを設け、前記操舵部材操作モードの自動選択は、前記感度ダイアルの操作位置により設定されることを特徴とする請求項１に記載の作業車両である。
【００１０】
第３の本発明は、前記車体（２）に操縦座席（４１）と、位置情報取得装置（２００）を装着するアンテナフレーム（２０１）を設け、前記アンテナフレーム（２０１）は、前記操縦座席（４１）より機体前側と、前記操作座席（４１）より機体後方で固定することを特徴とする請求項１または２に記載の作業車両である。
【００１１】
第４の本発明は、前記アンテナフレーム（２０１）は、前側フレーム（２０１ａ）と後側フレーム（２０１ｂ）で構成し、前記前側フレーム（２０１ａ）と後側フレーム（２０１ｂ）は前記車体（２）の前後方向の中央部付近で連結し、前記位置情報取得装置（２００）は、前記前側フレーム（２０１ａ）と後側フレーム（２０１ｂ）の接続部付近に設けることを特徴とする請求項３に記載の作業車両である。
【発明の効果】
【００１２】
第１の本発明により、操舵部材操作モードの選択は、作業装置の動作に関する複数の作業装置動作モードの内から選択された所定の作業装置動作モードに連動して自動で行われるので、作業の高精度化を促進することが可能である。
【００１３】
第２の本発明により、第１の本発明の効果に加えて、直進装置（２０５）による操舵部材（３５）の自動操舵を圃場の土質や水深等に適したものとすることができる。
【００１４】
第３の本発明により、アンテナフレーム（２０１）が作業者の視界を遮ることを防止できるので、視認性が向上し、直進走行前の位置合わせが正確になると共に、機体前方の圃場の状態や障害物を早めに見つけられるので、作業者による手動操作に切り替えて安全且つ作業位置のずれを抑えることができる。
【００１５】
第４の本発明により、第３の本発明の効果に加えて、位置情報取得装置（２００）の取付位置が機体の前後の中央部付近になるので、取得される機体の座標が実際の機体の位置から離れたものとなりにくく、自直進装置（２０５）による直進走行位置の設定が適切になり、作業精度が向上する。
【図面の簡単な説明】
【００１６】
【図１】本発明における実施の形態の苗移植機の側面図
【図２】本発明における実施の形態の苗移植機の平面図
【図３】本発明における実施の形態の走行車体の要部平面図
【図４】本発明における実施の形態のハンドルを含む操縦部の要部背面図
【図５】（ａ）本発明における実施の形態のハンドルの自動操舵装置の構成を示す要部背面図、（ｂ）本発明における実施の形態のハンドルの自動操舵装置の構成を示す要部側面図
【図６】本発明における実施の形態の各種制御に関連する部材を示すブロック図
【図７】本発明における実施の形態の取得された位置座標を機体の傾斜等に合わせて補正する制御を示すフローチャート
【図８】本発明における実施の形態の自動操舵装置による自動直進制御を示すフローチャート
【図９】本発明における実施の形態の自動直進設定部材の操作による第１及び第２基準位置の取得と、自動直進制御の入切を示すフローチャート
【図１０】本発明における実施の形態の第１基準位置及び第２基準位置の消去操作を示すフローチャート
【図１１】本発明における実施の形態の第１基準位置取得後のハンドル操作により第１基準位置を消去する制御を示すフローチャート
【図１２】本発明における実施の形態の第１基準位置、第２基準位置、基準線を示すと共に、目標位置を示す作業の模式図
【図１３】本発明における実施の形態の報知装置の作動と、報知装置の作動後に自動  操舵装置の停止操作が行われないときの自動減速制御を示すフローチャート
【図１４】本発明における実施の形態の圃場の枕地走行により第１基準位置、第２基準位置及び基準線を消去する制御を示すフローチャート
【図１５】（ａ）本発明における実施の形態の苗移植機のタブレット端末における直進基準線、直進目標線および走行軌跡の経時的な表示の説明図（その一）、（ｂ）本発明における実施の形態の苗移植機のタブレット端末における直進基準線、直進目標線および走行軌跡の経時的な表示の説明図（その二）、（ｃ）本発明における実施の形態の苗移植機のタブレット端末における直進基準線、直進目標線および走行軌跡の経時的な表示の説明図（その三）、（ｄ）本発明における実施の形態の苗移植機のタブレット端末における直進基準線、直進目標線および走行軌跡の経時的な表示の説明図（その四）、（ｅ）本発明における実施の形態の苗移植機のタブレット端末における直進基準線、直進目標線および走行軌跡の経時的な表示の説明図（その五）
【図１６】本発明における実施の形態の苗移植機の自動直進走行の説明図
【図１７】本発明における別の実施の形態（その一）の苗移植機の自動直進走行の説明図
【図１８】本発明における実施の形態の苗移植機の操舵アクチュエータ近傍の部分正面図
【図１９】（ａ）本発明における別の実施の形態（その二）の苗移植機の平面図、（ｂ）本発明における別の実施の形態（その二）の苗移植機の側面図
【図２０】（ａ）本発明における別の実施の形態（その三）の苗移植機の平面図、（ｂ）本発明における別の実施の形態（その三）の苗移植機の側面図
【図２１】本発明における別の実施の形態（その四）の苗移植機の側面図
【発明を実施するための形態】
【００１７】
以下、図面を参照しながら、本発明における実施の形態について詳細に説明する。
【００１８】
はじめに、図１〜１４を参照しながら、本実施の形態の苗移植機の基本的な構成および動作について説明する。
【００１９】
図１は、本発明における実施の形態の苗移植機の側面図である。図２は、本発明における実施の形態の苗移植機の平面図である。図３は、本発明における実施の形態の走行車体２の要部平面図である。図４は、本発明における実施の形態のハンドル３５を含む操縦部の要部背面図である。図５（ａ）は本発明における実施の形態のハンドル３５の自動操舵装置２０５の構成を示す要部背面図であり、図５（ｂ）は本発明における実施の形態のハンドル３５の自動操舵装置２０５の構成を示す要部側面図である。図６は、本発明における実施の形態の各種制御に関連する部材を示すブロック図である。図７は、本発明における実施の形態の取得された位置座標を機体の傾斜等に合わせて補正する制御を示すフローチャートである。図８は、本発明における実施の形態の自動操舵装置２０５による自動直進制御を示すフローチャートである。図９は、本発明における実施の形態の自動直進設定部材２０７の操作による第１及び第２基準位置Ａ及びＢの取得と、自動直進制御の入切を示すフローチャートである。図１０は、本発明における実施の形態の第１基準位置Ａ及び第２基準位置Ｂの消去操作を示すフローチャートである。図１１は、本発明における実施の形態の第１基準位置取得後のハンドル操作により第１基準位置Ａを消去する制御を示すフローチャートである。図１２は、本発明における実施の形態の第１基準位置Ａ、第２基準位置Ｂ、基準線Ｒを示すと共に、目標位置を示す作業の模式図である。図１３は、本発明における実施の形態の報知装置２０８の作動と、報知装置２０８の作動後に自動操舵装置２０５の停止操作が行われないときの自動減速制御を示すフローチャートである。図１４は、本発明における実施の形態の圃場の枕地走行により第１基準位置Ａ、第２基準位置Ｂ及び基準線Ｒを消去する制御を示すフローチャートである。
【００２０】
基準線は、意味がより分かりやすいように直進基準線とも呼ばれる。そして、第１基準位置は第１基準点とも呼ばれ、第２基準位置は第２基準点とも呼ばれる。
【００２１】
本実施の形態の苗移植機が、本発明の作業車両の一例である。
【００２２】
走行車体２が、本発明の車体の一例である。作業装置４、センターフロート６２Ｃおよび整地ロータ６３の何れもが、本発明の作業装置の一例である。ハンドル３５が、本発明の操舵部材の一例である。ＧＰＳアンテナ２００が、本発明の位置情報取得装置の一例である。自動直進設定部材２０７が、本発明のユーザ指示部材の一例である。自動操舵装置２０５が、本発明の直進装置の一例である。制御装置１００が、本発明の制御装置の一例である。タブレット端末１０００が、本発明の外部情報端末の一例である。
【００２３】
整地クラッチ６６が、本発明の作業クラッチの一例である。作業検知センサ２０９が、本発明の作業クラッチセンサの一例である。
【００２４】
操舵アクチュエータ２０６が、本発明の操舵ステップモータの一例である。
【００２５】
本件においては、平面図において、機体の進行方向に対して左側を機体左右一側、機体の進行方向に対して右側を機体左右他側と称する。以下、各部の詳細を具体的に記載する。
【００２６】
本発明の作業機の一実施例として図２に開示されている乗用型の田植機は、８条植えの構成であるが、本構成を異なる植付条数の田植機に用いても構わない。本件田植機は、図１及び図２で示すとおり、走行車体２の後側に昇降リンク装置３を介して、苗タンク５３から苗を取って複数の苗植付装置５５…で圃場に苗を植え付ける苗植付部や、種子を供給する播種装置等、あるいは圃場を耕耘するロータリ等の作業装置４を昇降可能に設け、該走行車体２の後部上側に施肥装置５の本体部分を配置している。
【００２７】
まず、走行車体２を構成するメインフレーム１５について説明する。
【００２８】
図３に示すとおり、該メインフレーム１５は、機体前部の前側梁フレーム１６と、機体後部の後側梁フレーム１７と、該前側梁フレーム１６と後側梁フレーム１７の前後間に中央梁フレーム１８を設け、該前側梁フレーム１６と中央梁フレーム１８を左右一対の前側連結フレーム１９，１９で連結すると共に、該中央梁フレーム１８と後側梁フレーム１７を左右一対の後側連結フレーム２０，２０で連結する。
【００２９】
なお、前側梁フレーム１６と中央梁フレーム１８と後側梁フレーム１７は左右方向を長手方向とし、前側連結フレーム１９と後側連結フレーム２０は前後方向を長手方向とする。
【００３０】
該左右の前側連結フレーム１９，１９と後側連結フレーム２０，２０の左右間隔は略同じ間隔とする。また、前記中央梁フレーム１８と後側梁フレーム１７の左右長さは前側梁フレーム１６の左右長さよりも長く構成する。なお、左右の前側連結フレーム１９，１９と後側連結フレーム２０，２０は中央梁フレーム１８の下部で溶接するものであるので、左右の前側連結フレーム１９，１９と後側連結フレーム２０，２０を一体の金属製の角材で構成してもよい。
【００３１】
前記前側梁フレーム１６と中央梁フレーム１８と左右の前側連結フレーム１９，１９が形成する空間部には、左右の前輪１０，１０や後輪１１，１１、作業装置４等に駆動力を伝動するミッションケース１３と、エンジン３０から供給される駆動力を該ミッションケース１３に出力する油圧式の無段変速装置（ＨＳＴ）１４を設ける。
【００３２】
そして、前記後側梁フレーム１７の後部に、左右の持上フレーム２１，２１を左右の後側連結フレーム２０，２０の左右間隔よりも狭い間隔で且つ後方に突出させて設け、該左右の持上フレーム２１，２１の下部に後部支持フレーム２２を装着する。
【００３３】
該後部支持フレーム２２の左右両側には、走行車体２の左右の後輪１１，１１を各々駆動させる後輪伝動ケース１１ａ，１１ａを設け、該後部支持フレーム２２の上部には、前記昇降リンク機構３を支持する左右のリンクフレーム２３，２３を上方に向けて設ける。
【００３４】
前記昇降リンク機構３は、左右のリンクフレーム２３，２３の下部側で且つ左右間に左右一対のロワリンクアーム２４，２４を設け、該左右のロワリンクアーム２４，２４の左右間に昇降シリンダ２５を設けると共に、該昇降シリンダ２５の上方にアッパリンクアーム２６を設けて構成する。なお、該左右のロワリンクアーム２４，２４と昇降シリンダ２５とアッパリンクアーム２６の走行車体２とは反対側の端部は、作業装置４の機体前側に装着する。
【００３５】
さらに、前記中央梁フレーム１８の左右両端部の前方と左右の前側連結フレーム１９，１９の左右外側に、走行車体２の左右の前輪１０，１０に各々伝動する前側伝動ケース１０ａ，１０ａを各々設けると共に、該中央梁フレーム１８と後側梁フレーム１７の左右端部を左右の延長フレーム２７，２７で各々連結する。該左右の延長フレーム２７，２７は前後方向を長手方向とする。
【００３６】
また、前記中央梁フレーム１８と後側梁フレーム１７と後部支持フレーム２２の下部に前後方向の中央連結フレーム２８を設け、前記中央梁フレーム１８と後側梁フレーム１７の前後間で且つ左右の後部連結フレーム２０，２０の左右間にエンジン３０を支持する前後の支持プレート２９，２９を設ける。
【００３７】
該前後の支持プレート２９，２９には、中央連結フレーム２８の左右両側でエンジン３０を受ける受けプレート２９ａ…が各々設けられている。
【００３８】
そして、前記前後の支持プレート２９，２９の左右両側に、後側梁フレーム１７の下方を通過して後方に突出する左右の補助フレーム３１，３１を設け、該左右の補助フレーム３１，３１の後部を左右方向の後部補助フレーム３２で連結する。なお、該左右の補助フレーム３１，３１の後端部は、前記左右の後輪伝動ケース１１ａ，１１ａに連結する。
【００３９】
上記により、メインフレーム１５が構成される。該メインフレーム１５のうち、前側梁フレーム１６から後側梁フレーム１７までの前後幅、及び左右の前側連結フレーム１９，１９及び後側連結フレーム２０，２０の左右幅を、作業者が搭乗するフロアステップ３３で覆う。該フロアテップ３３は一体形成して強度を向上させたり部品数を減らしたりするものや、前側と後側、左側と右側で各々分割可能に構成し、着脱を容易にするものを用いる。
【００４０】
上記では、図３に示すとおり、前記中央梁フレーム１８と後側梁フレーム１７の左右両側端部の周辺と、左右の延長フレーム２７，２７がフロアステップ３３に覆われず、露出する。このとき、前記フロアステップ３３を拡大してメインフレーム１５の全体を覆う構成としてもよいが、大きさや植付作業条数の異なる機体間でのフロアステップ３３の共用化を図るべく、フロアステップ３３の左右両側に、左右の延長ステップ３４，３４を各々配置する構成とする。
【００４１】
上記構成により、メインフレーム１５は複数のフレーム構成体を連結して構成しているので、従来に比べて強度の向上が図られている。
【００４２】
また、エンジン３０を搭載する前後の支持プレート２９，２９の下部に中央連結フレーム２８を配置すると共に、前後の支持プレート２９，２９を左右の後部補助フレーム３２，３２と連結したことにより、重量物であるエンジン３０を強固に保持することができる。
【００４３】
前記走行車体２の前側には、図１、図２に示すとおり、上部に機体を操舵するハンドル３５、無段変速装置１４や作業装置４を操作する変速操作レバー３６、走行車体２の走行伝動を切り替える副変速切替装置（図示省略）を操作する副変速操作レバー３７及び機体各部の操作を行う操縦パネル３８を上部に備えるボンネット３９を設ける。該ボンネット３９の前側には開閉可能なフロントカバー４０を設け、該フロントカバー４０の内部には、燃料タンクやバッテリ、前記ハンドル３５の操舵に前記左右の前輪１０，１０、及び左右の前輪伝動ケース１０ａ，１０ａの下部側を回動させる連動機構（図示省略）を内装する。
【００４４】
また、前記フロントカバー４０の前方には、作業装置４の作業状態や作業時に消費される作業資材の減少、及び後述する自動操舵装置２０５の作動、非作動等の各種情報をＬＥＤ等の点灯で表示するセンターマスコット７０を設ける。該センターマスコット７０は、側面視において、機体下部側で且つ機体後側に配置される作業表示部７１と、機体上部側で且つ機体前側に配置される自動直進表示部７２で構成される。
【００４５】
そして、前記ボンネット３９よりも機体後側で、且つ前記エンジン３０の上方に、エンジン３０の上方及び側方を覆うエンジンカバー３０ａを設け、該エンジンカバー３０ａの上部に作業者が着座する作業座席４１を設ける。
【００４６】
さらに、該作業座席４１の後側で、具体的にはメインフレーム１５の後端側に前記施肥装置５を積載する。該施肥装置５の駆動力は、左右の後輪伝動ケース１１ａの左右一側から施肥装置５に向かって配置される施肥伝動機構５ａによって伝動される。
【００４７】
前記ミッションケース１３の前側には、前記左右の前輪伝動ケース１０ａ，１０ａに伝動する前側伝動シャフト（図示省略）と、ミッションケース１３の後部には、前記左右の後輪伝動ケース１１ａ，１１ａに伝動する左右のドライブシャフト４２，４２を設ける。該左右のドライブシャフト４２，４２よりも伝動方向上手側には、左右のドライブシャフト４２，４２への伝動を入切するサイドクラッチ機構４３，４３が配置されており、前記ハンドル３５を切操作して走行車体２を旋回操作させると、旋回内側に位置するサイドクラッチ機構４３が切状態になり、旋回内側の後輪１１への伝動を停止させる構成としている。
【００４８】
図３に示すとおり、前記ミッションケース１３の後側の左右中央付近に左右のクラッチ入切軸４４，４４を上下方向に設け、該左右のクラッチ入切軸４４，４４の上部に機体外側に向かうクラッチ入切アーム４５，４５を各々設ける。そして、前記操縦座席４１の前側下部で且つ左右一側には、左右のサイドクラッチ機構４３，４３を入切操作するサイドクラッチペダル４３ａ，４３ａを設ける。
【００４９】
また、図１、図２に示すとおり、作業装置４の下方には、圃場面に接地して滑走するセンターフロート６２Ｃと左右のサイドフロート６２Ｌ，６２Ｒを設けると共に、該センターフロート６２Ｃと左右のサイドフロート６２Ｌ，６２Ｒよりも機体前側に、圃場面の凹凸を整地する整地ロータ６３を設ける。該整地ロータ６３への駆動力は、左右一側の後輪伝動ケース１１ａに設ける整地伝動シャフト６５により伝動される。また、左右一側の後輪伝動ケース１１ａには、整地ロータ６３への伝動を入切する整地クラッチ６６を設ける。
【００５０】
前記センターフロート６２Ｃには、該センターフロート６２Ｃの回動角度を検知する回動ポテンショメータ６４を設け、該回動ポテンショメータ６４の回動角度が所定角度以上変化すると圃場の深さが変化したと判断し、制御装置１００が前記昇降シリンダ２５を伸縮させて昇降リンク機構３を上下回動させ、作業装置４の上下高さ、即ち作業位置を圃場の深さに対応させる構成とする。
【００５１】
圃場内で前記作業装置４を用いて苗の植付や種子の播種作業、あるいは苗の生育後の追肥や除草等の作業を行うときは、圃場の一側から他側に向かって走行車体２を直進走行させることが一般的である。しかしながら、走行車体２は、圃場の耕盤の凹凸や表土の粘性により車輪が直進方向からずれた方向を向くと、次第にずれた方向に移動してしまうことがある。また、作業者の操縦技術によっては、走行車体２を直進方向に合わせられず、直進からずれた方向に移動させてしまうことがある。
【００５２】
これにより、苗の植付や播種、除草や追肥等の作業軌跡が斜め方向になり、本来苗の植付や播種が可能な個所が空きスペースとなり、後から作業者が手作業で植付や播種を行う必要が生じ、作業者に余分な労力を生じさせることや、苗の植付条間や播種条間が作業装置４の条間よりも狭くなり、風通しが悪くなって病虫害が発生することがある。あるいは、除草作業や追肥作業等の、植付や播種の後工程の作業を行う際、苗を踏み潰してしまい、収量の低下を招くことや、苗を踏み潰さないように操縦することにより、作業能率を低下させる問題が生じることがある。
【００５３】
これら問題を解決するには、作業者の手によらず、走行車体２を自動操舵させ、直進走行姿勢を維持させる、いわゆる自動直進システムを搭載することが考えられる。
【００５４】
まず、図１、図２に示すとおり、走行車体２に、ＧＰＳ（ＧＮＳＳ）アンテナ２００を装着するアンテナフレーム２０１を設ける。該アンテナフレーム２０１は、前記メインフレーム１５の前側に設ける左右のアンテナステー２０２，２０２に左右の基部を装着する、正面視で門型の前側フレーム２０１ａと、該前側フレーム２０１ａの左右中央部から機体後方に向かい、走行車体２の後側の左右中央部に向かう後側フレーム２０１ｂで構成する。なお、門型の該前側フレーム２０１ａの空間部の後方には、前記ボンネット３９や操縦座席４１が位置するものとする。
【００５５】
また、前記アンテナフレーム２０１の上下高さは、機体中最も高くする。作業者がフロアステップ３３上に立った状態で頭をぶつけることを防止しつつ、且つ受信精度を向上させるべく、アンテナフレーム２０１の上端部は、地表から２．５〜３．５ｍ程度に位置するものとする。
【００５６】
これにより、作業者はフロアステップ３３上を移動しやすく、作業能率が向上すると共に、ＧＰＳアンテナ２００を地表から上方に離間させることができるので、受信精度の向上が図られる。
【００５７】
該前側フレーム２０１ａと後側フレーム２０１ｂの接続部付近には、前記ＧＰＳアンテナ２００を装着する。なお、前側フレーム２０１ａと後側フレーム２０１ｂの接続部は、ボンネット３９と操縦座席４１の前後間附近であり、前記走行車体２の前後方向の中央部付近である。
【００５８】
上記により、ＧＰＳアンテナ２００の取付位置を機体の前後及び左右方向の中央部付近になるので、取得される機体の座標が実際の機体の位置から離れたものとなりにくく、自動直進システムによる直進走行位置の設定が適切になり、作業精度が向上する。
【００５９】
また、前側フレーム２０１ａの空間部の後方に操縦座席４１が位置することにより、アンテナフレーム２０１が作業者の視界を遮ることを防止できるので、視認性が向上し、直進走行前の位置合わせが正確になると共に、機体前方の圃場の状態や障害物を早めに見つけられるので、作業者による手動操作に切り替えて安全且つ作業位置のずれを抑えることができる。
【００６０】
なお、ＧＰＳアンテナ２００は、単独測位方式、ＤＧＰＳ（相対測位）方式、ＲＴＫ（干渉測位）方式等のうち、作業をする地域に適したものを用いるとよい。
【００６１】
しかしながら、機体の傾斜や振動の影響によりＧＰＳアンテナ２００の地上高が変動すると、実際の機体位置と異なる座標位置が測定され、受信精度が低下すると共に、直進からずれた方向に機体が走行してしまう問題が生じる。
【００６２】
これを防止すべく、図６に示すとおり、ＧＰＳアンテナ２００に加えて、ＩＭＵ（慣性計測装置）２０３を設ける。該ＩＭＵ２０３は、走行車体２が傾斜姿勢になるときの地表からＧＰＳアンテナ２００までの高さと、傾斜していないときの地表からＧＰＳアンテナ２００までの高さの差に基づき、ＧＰＳアンテナ２００が取得した位置座標を制御装置１００に修正させるものである。
【００６３】
なお、地表からＧＰＳアンテナ２００までの高さは、前記走行車体２の傾斜等の挙動を、ＩＭＵ２０３に内蔵される三軸の加速度センサと角速度センサで計測して割り出すものとする。
【００６４】
これに加えて、自動直進システムによる機体の走行方向が正しいかどうかをより確実に制御装置１００に判定させるべく、方位センサ２０４を設ける。
【００６５】
このときの位置座標の補正については、図７のＳ１からＳ５に示すとおりである。
【００６６】
これにより、機体の進路を計測される方位により定めることができるので、直進走行の精度がいっそう向上する。
【００６７】
前記ＧＰＳアンテナ２００が取得する位置情報は、ＩＭＵ２０３と方位センサ２０４が検出する情報に基づき、制御装置１００により補正される。そして、制御装置１００は、現在の位置情報と先に取得されている位置情報を比較し、位置情報の相違が許容範囲を超えていると、機体を直進走行位置に戻すべく、左右の前輪１０，１０を左右方向に操舵させる。
【００６８】
上記の左右の前輪１０，１０の操舵、あるいはクローラ等の信地旋回を自動化すべく、前記ハンドル３５を操舵アクチュエータ２０６で回動させる自動操舵装置２０５を設ける。該自動操舵装置２０５は、図８のＳ６〜Ｓ９に示すとおり、前記制御装置１００が算出した現在の位置情報のＸ座標と、先に取得されている基準となる位置情報のＸ座標の差異に基づき、操舵アクチュエータ２０６の作動量が変動されることで、機体を直進走行位置に向かわせるべく、ハンドル３５を左右に切ると共に、直進走行位置に来ると操舵アクチュエータ２０６を停止させてハンドル３５の自動操舵を停止させるものである。
【００６９】
なお、操舵アクチュエータ２０６は、電動や油圧式のモータ、あるいはシリンダで構成する。
【００７０】
上記構成により、算出された位置情報のＸ座標の差異に合わせてハンドル３５が自動的に操舵され、機体を直進走行位置に自動的に合わせることができるので、作業装置４による作業位置が左右方向にずれることが防止され、圃場内に作業が行われない箇所が発生しにくくなる。これにより、作業が行われなかった箇所に、後から人手で作業を行う必要が無くなり、作業者の労力が軽減される。
【００７１】
また、前工程の作業条と現在の作業条の作業位置が重複することを防止できるので、苗、種子や肥料等の作業資材を余分に消費することが防止され、作業コストの低減が図られると共に、作業資材の過剰供給による生育不良の発生が防止される。
【００７２】
なお、耕耘機を装着したトラクタや、苗移植機や播種機は、作業条の圃場端まで走行し、約１８０度旋回して次の作業条に移動する。旋回走行中に自動直進システムが作動していると、機体が直進走行すべき位置からずれていると判断して操舵アクチェータ２０６を作動させ、旋回軌跡を乱すおそれがある。したがって、自動直進システムは、機体を旋回させる際にオフにする構成とする必要がある。ハンドル３５を旋回操作すると自動直進システムがオフになる構成とすることも考えられるが、圃場の状態等によって機体の進行方向が大幅にずれたり、障害物を回避すべく作業者がハンドル３５を旋回操作と同等以上に大きく操作したりした際に自動直進システムがオフになるので、作業者が直進途中で自動操舵システムを再度オンにせねばならず、作業者の手間が増えると共に、自動直進システムがオフになったことに気付かず、作業位置がずれたまま機体が走行し、作業精度が低下する問題が生じる。
【００７３】
また、ハンドル３５を旋回から直進に戻す操作で自動直進システムをオンにすることが考えられるが、旋回から直進に戻る際、次の作業条における直進位置に機体を合わせるには、細かいハンドル３５の操舵操作を行う必要がある。この操作中に自動操舵システムがオンになっていると、機体が直進走行位置からずれたと制御装置１００が判断すると操舵アクチュエータ２０６が作動してしまい、機体の位置が本来直進走行すべき位置に合わせられなくなる問題がある。
【００７４】
この問題の発生を防止し、機体を適切な方向に直進走行させると共に、適切な区間で作動することが可能な自動直進システムについて、図６及び図８から図１１を用いて説明する。
【００７５】
なお、走行車体２の前後進方向の位置座標をＹ座標とすると共に、走行車体２の前後進方向と直交する方向、即ち左右方向の位置座標をＸ座標とする。
【００７６】
まず、走行車体２に、自動直進の開始点である圃場の一側と自動直進の終了点である圃場の他側の座標を取得させると共に、自動直進システムを入切する、自動直進設定部材２０７を設ける。該自動直進設定部材２０７は、上下方向、左右方向、押込状態と戻り状態など、少なくとも二方向に操作可能な部材を少なくとも一つ装着するか、あるいは二つ以上の操作部材を装着するものとする。
【００７７】
本願では、自動直進設定部材２０７として、図４に示すとおり、上下方向に操作可能なフィンガアップレバーを装着するが、トグルスイッチやプッシュスイッチ、ジョイスティック等を用いてもよい。
【００７８】
これにより、部品点数の削減が図られると共に、基準位置（第１基準位置Ａ、第２基準位置Ｂ）の取得操作と、自動操舵装置２０５の入切操作を、同じ側の片方の手で自動直進設定部材２０７を操作すればよいので、操作性が向上する。
【００７９】
図４に示すとおり、該自動直進設定部材２０７を第１の方向Ｗ１、本願では機体上方に向けて操作する（Ｓ１０およびＳ１１、図９参照）と、操作された位置で前記ＧＰＳアンテナ２００を利用して位置情報が取得され、ＩＭＵ２０３と方位センサ２０４の検出結果を用いて制御装置１００が算出した位置座標が記録される。なお、自動直進設定部材２０７の第１の方向Ｗ１への操作が、基準位置取得部材の操作に該当する。
【００８０】
前記自動直進設定部材２０７を操作したとき、他の位置座標の記録が無いときは、算出した位置座標を第１基準点Ａとして記録し（Ｓ１２およびＳ１４）、該第１基準点Ａが記録されているときは、算出した位置座標を第２基準点Ｂとして記録する。該第１基準点Ａと第２基準点Ｂが記録されているときに前記自動直進設定部材２０７が操作された時は、位置座標を記録しない。
【００８１】
なお、圃場内の作業途中で、自動直進が精度よく行えなくなった時等には、第１基準点Ａ及び第２基準点Ｂを取得し直す必要があるので、図１０に示すとおり、このときは前記自動直進設定部材２０７を所定時間（例：２〜３秒）に亘って第１の方向Ｗ１に操作する（Ｓ２２およびＳ２３）と、記録されている第１基準点Ａ及び第２基準点Ｂが消去される（Ｓ２４〜Ｓ２７）設定とするとよい。あるいは、操作すると第１基準点Ａ及び第２基準点Ｂが削除される、記録消去用のボタン（図示省略）を設けてもよい。
【００８２】
自動直進システムの直進走行の基準位置となる前記第１基準点Ａ及び第２基準点Ｂは、距離が近いほどＸ座標のズレは小さいが、二点間の距離が短ければ、自動直進を用いなくてもおおよそ直進走行は可能である。また、二点間の距離が短くなるときは、作業者が意図せず自動直進設定部材２０７に触れてしまい、第２基準点Ｂを取得するという状況が考えられる。
【００８３】
この問題の発生を防止すべく、前記自動直進設定部材２０７を操作して第２基準点Ｂを取得する際、第１基準点Ａを取得した位置からの距離が所定距離未満、例えば８〜１２ｍ未満であるときは、制御装置１００は第２基準点Ｂを削除し、記録させないものとする。その後、再度自動直進設定部材２０７が操作され、第１基準点Ａを取得した位置からの距離が所定距離以上であれば（Ｓ１３およびＳ１５）、制御装置１００は第２基準点を記録させ（Ｓ１６）、基準線Ｒを作成する（Ｓ１７）ものとする。
【００８４】
なお、図１１に示すとおり、第１基準点Ａを取得した（Ｓ２８およびＳ２９）状態で、第２基準点Ｂを取得せずにハンドル３５を所定時間内に所定量以上に操作し（Ｓ３０およびＳ３１）、走行車体２を旋回させたとき、制御装置１００は、記録した第１基準点Ａを削除する（Ｓ３２）。その後、前記自動直進設定部材２０７が第１の方向Ｗ１に操作されると、制御装置１００は、ＧＰＳアンテナ２００により取得したその場所の位置座標を、第１基準点Ａとして記録し、第１基準点ＡのＹ座標と第２基準点ＢのＹ座標を結ぶ線が直線状にならなくなることを防止する構成としてもよい。
【００８５】
これにより、圃場の一端と他端の所定位置、例えば、直進走行を終えて走行車体２が旋回を開始する位置と、旋回終了後に作業装置４を下降させて直進走行を開始する位置に第１基準点Ａと第２基準点Ｂを設定することができ、作業装置４を下降させて直進走行する位置で自動直進システムを作動させ、作業位置が進行方向に対して左右方向にズレない、高精度な作業が可能になる。
【００８６】
また、作業者の誤操作により第２基準点Ｂが実際に設定すべき位置と異なることを防止できるので、次の作業条で第１基準点Ａと第２基準点Ｂを取得し直す必要が無く、自動直進を用いる作業条を増やし、圃場内の作業精度を一層向上させることができる。
【００８７】
なお、圃場に入ってから最初に作業を行う作業条では、所定位置で自動直進設定部材２０７を第１の方向Ｗ１に操作して、上記の第１基準点Ａと第２基準点Ｂを取得する作業が必須になるので、自動直進を用いず、作業者がハンドル３５を操作して、機体を直進走行させることになる。
【００８８】
上記のとおり、自動直進設定部材２０７の操作によって第１基準点Ａと第２基準点Ｂを取得していると、該第１基準点Ａと第２基準点Ｂの各Ｙ座標を結んだ基準線Ｒが、自動直進の目安となる線となり、走行中の機体の位置座標のＸ座標が、自動直進の目安となる線のＸ座標と合致しているか否かを判定し、合致していなければ自動操舵装置２０５により合致する方向にハンドル３５を自動操舵させることで、自動直進走行を実現することができる。
【００８９】
上記の自動直進走行は、第１基準点Ａと第２基準点Ｂが記録されており基準線Ｒが作成されている（Ｓ１８）状態で、自動直進設定部材２０７を第２の方向Ｗ２、本願では機体下方に向けて操作することで開始される（Ｓ１９およびＳ２１）。自動直進設定部材２０７を第２の方向Ｗ２に操作すると、制御装置１００は、ＧＰＳアンテナ２００が取得する位置座標のＹ座標と基準線ＲのＹ座標を比較し、前記操舵アクチュエータ２０６を作動させてハンドル３５を左右方向に回転させ、走行車体２を直進走行すべき位置に移動させる制御を開始する。なお、自動直進設定部材２０７の第２の方向Ｗ２への操作が、入切部材の操作に該当する。
【００９０】
この自動操舵制御は、前記ハンドル３５が所定の時間内に走行車体２を旋回させる角度まで操作されるか、前記自動直進設定部材２０７が第２の方向Ｗ２に操作されると終了する（Ｓ２０）。前記ハンドル３５の操舵角度は、ハンドルポテンショメータ３５ａによって検知するものとする。
【００９１】
なお、第１基準点Ａまたは第２基準点ＢのＹ座標と一致する場所に走行車体２が到達すると、自動直進制御が終了される構成としてもよい。
【００９２】
上記のとおり、自動直進制御は、ハンドル３５を旋回操作するか、圃場端における旋回走行の開始地点付近に到達することで終了される。走行車体２が旋回走行する位置は、圃場端に近い位置であるので、自動直進制御に任せて作業者が操縦以外の作業を行っていると、旋回操作が遅れると予定外の位置に苗の植付が行われると共に、走行車体２が圃場端まで移動してしまい、旋回を行う位置まで後進が必要になり、作業能率が低下する問題が生じる。
【００９３】
なお、図１２は、第１基準位置Ａ、第２基準位置Ｂ、基準線Ｒ、及び目標位置と現在の機体の位置を示す模式図である。
【００９４】
この問題を防止すべく、図６及び図１３に示すとおり、前記整地クラッチ６６の入（作動）及び切（停止）による整地ロータ６３の入切を検知する作業検知センサ２０９を設け、該作業検知センサ２０９が整地ロータ６３の入（作動）を検知した（Ｓ３３）とき、制御装置１００は、走行車体２の位置座標（Ｘ座標及びＹ座標）である、目標位置座標（終了基準位置）を取得する（Ｓ３４およびＳ３５）。なお、該目標位置座標は、制御装置１００、あるいは制御装置１００に付随するメモリ領域に、少なくとも二ヵ所分を同時に保持可能とする。
【００９５】
なお、作業検知センサ２０９による目標位置座標（終了基準位置）の取得は、整地ロータ６３の入切の代わりに、作業装置４の上昇または下降、作業装置４への伝動の入または切、ハンドル３５の旋回開始操舵または旋回終了操舵等を条件として行う構成としてもよい。
【００９６】
そして、位置座標を取得した作業条の次の作業条において、前記自動操舵装置２０５を作動させて走行車体２を自動直進走行させるとき、制御装置１００は、ＧＰＳアンテナ２００が取得する現在位置座標のＹ座標から、直前の作業条（直近の作業条）で取得した目標位置座標のＹ座標までの距離を逐次算出する（Ｓ３６）。このとき、制御装置１００は、目標位置座標のＸ座標を現在位置座標のＸ座標に補正する構成としてもよい。
【００９７】
そして、現在位置座標から目標位置座標までの距離が所定距離、例えば８〜１２ｍになる報知位置に走行車体２が到達する（Ｓ３７）と、走行車体２が圃場端に接近しており、前記自動直進設定部材２０７を第２の方向Ｗ２に操作して自動直進制御を終了させる必要があることを作業者に知らせるべく、ブザーやランプ、あるいは画面上に数値や文字を表示する、報知装置２０８が作動する（Ｓ３８）構成とする。
【００９８】
なお、該報知装置２０８に数値や文字を表示するのは、走行車体２に表示パネル（図示省略）を設ける構成や、作業者が持ち込む情報端末（スマートフォン、タブレット等）に情報を送信して表示させる構成が考えられる。
【００９９】
なお、目標位置座標を取得していない作業条においては、走行車体２と目標位置までの距離を算出できないので、作業者は目視で圃場端を確認し、自動直進制御が不要と判断した位置で自動直進設定部材２０７を操作する必要がある。
【０１００】
現在位置座標から目標位置座標までの距離については、前記左右の後輪１１，１１への左右のドライブシャフト４２，４２の回転を検知する後輪回転センサ２１０，２１０を設け、前記整地ロータ６３を入にした位置から該後輪回転センサ２１０，２１０が検知した回転数を元に、制御装置１００が移動距離を算出し、該移動距離と整地ロータ６３を入にした位置のＹ座標位置までの距離を算出し、所定距離以内であれば報知装置２０８を作動させる構成としてもよい。
【０１０１】
しかしながら、報知装置２０８が作動しても、作業者が気付いて自動直進制御を終了させなければ、走行車体２を適切な位置で旋回させることはできない。これに対応すべく、前記報知装置２０８が作動してから所定距離（例えば、２〜５ｍ）に亘って、自動直進設定部材２０７が第２の方向Ｗ２に操作されることなく走行車体２が前進走行した（Ｓ３９〜Ｓ４１）とき、前記制御装置１００は、前記無段変速装置１４のトラニオン軸１４ａを回動させ、走行車体２を減速させる（Ｓ４２）。
【０１０２】
あるいは、距離でなく、前記報知装置２０８が作動してから所定時間（例えば、２〜５秒間）に亘って、自動直進設定部材２０７が第２の方向Ｗ２に操作されることなく走行車体２が前進走行したとき、前記制御装置１００は、前記無段変速装置１４の出力を低下させ、走行車体２を減速させる。
【０１０３】
上記の走行車体２の減速は、前記無段変速装置１４のトラニオン軸１４ａをトラニオンアーム（図示省略）を介して回動させるＨＳＴサーボモータ２１１を作動させ、該トラニオン軸１４ａを減速側に回動させることによって行われる。
【０１０４】
これにより、圃場端に接近すると走行車体２の走行速度が低下するので、作業者に圃場端の旋回位置が近付いていることを認識させることができ、適切な軌跡で旋回走行が行える。したがって、作業装置４が、圃場の外周の四辺、所謂枕地で重複して対地作業を行い、余分に作業資材（苗、肥料、薬剤等）を消費することが防止される。
【０１０５】
また、旋回後に整地ロータ６３を入にして整地作業を開始する位置を、旋回前に整地作業を終了した位置に合わせることができるので、整地ロータ６３による整地作業が行われない箇所の発生、及び作業装置４による対地作業行われない箇所の発生が防止される。これにより、整地作業が行われなかった箇所について、苗の植付深さが乱れる、肥料の浸透具合が異なる、走行が乱れるといった問題の発生が防止されると共に、対地作業が行われなかった位置について、作業者が手作業で作業を行う必要がなく、作業者の労力が軽減される。
【０１０６】
上記の自動減速は、時間経過により走行速度が漸減するものとし、緩やかに減速される制御構成とすると、作業装置４による対地作業精度、及び整地ロータ６３の整地精度が低下することや、作業者が揺さぶられることが防止される。
【０１０７】
あるいは、自動減速の開始後、一回、または所定時間ごとに複数回、急激な減速を行う制御構成とすると、走行車体２の揺れにより、作業者が圃場端の接近に気付きやすくなる。
【０１０８】
また、自動減速制御が行われている所定時間（第２所定時間）内に、前記自動直進設定部材２０７を操作して自動直進制御を解除する（Ｓ４３およびＳ４４）と、制御装置１００は、その時点の走行速度を維持する構成としてもよい。これにより、作業走行が停止しないので、圃場端での旋回走行に速やかに移行することができ、作業能率の低下が防止される。
【０１０９】
あるいは、予め設定されている走行速度、または自動減速が開始された時点での走行速度に変速すべく、制御装置１００は、無段変速装置１４のＨＳＴサーボモータ２１１を作動させて、トラニオン軸１４ａを増速側に回動させる構成としてもよい。
【０１１０】
走行速度が自動的に増速されることにより、作業者が変速操作レバー３６を操作して走行速度を増速する必要がなくなるので、操作性が向上する。
【０１１１】
報知装置２０８の作動に加えて、上記の走行車体２の自動減速制御により、走行車体２が圃場端、具体的には圃場端付近の旋回位置を認識することが期待されるが、作業者が別の作業に没入している、あるいは作業者が失神する等して、走行速度の自動減速にも気付かない可能性は想定される。
【０１１２】
したがって、前記走行車体２の自動減速制御は、前記無段変速装置１４が前進、後進のいずれの走行速度も増減させない中立状態になるまで行われる。このとき、前記エンジン３０は停止させない。これにより、その場に走行車体２を停止させる（Ｓ４５）ことができるので、圃場端、所謂畦に機体が接触するまで前進することが防止され、機体の破損や、作業復帰するべく機体を後進させる距離が抑えられる。
【０１１３】
圃場端への接近により走行車体２の走行が自動停止したとき、走行車体２の走行速度の増減、及び前後進を操作する変速操作レバー３６を中立位置に戻すと、制御装置１００は無段変速装置１４による走行速度の増減操作を受け付ける状態にする。その上で、前記変速操作レバー３６を前進側に操作すると、走行車体２の走行が再開される。当然のことではあるが、前記副変速操作レバー３７を中立位置に操作し、駆動力が走行系統に伝動されない状態では、副変速操作レバー３７を走行伝動が行われる位置に操作するまで、走行は開始されない。
【０１１４】
上記の自動直進制御の基準となる、第１基準点Ａと第２基準点Ｂ、及び第１基準点Ａと第２基準点Ｂを結ぶ基準線Ｒは、圃場の一端から他端に向かう直進作業走行、及び圃場の他端から一端に直進作業走行する際に必要である。
【０１１５】
しかしながら、圃場の四辺、所謂枕地の作業走行は、直進作業走行であるものの、上記の直進作業走行と異なる進行方向になる作業辺が一辺は存在し、その作業辺では前記基準線Ｒを用いても、自動直進制御を行うことはできない。
【０１１６】
また、圃場の外において、機体を移送用のトラックの荷台等に移動させるときや、納屋などに収納する際に、誤って自動直進設定部材２０７を第２の方向Ｗ２に操作して自動操舵装置２０５を作動可能な状態にしていると、機体を移動させる際に基準線（Ｒ）のＸ座標と機体のＸ座標が不一致となり、直進走行位置からずれていると判断され、自動操舵装置２０５がハンドル３５を自動操舵させることが起こり得る。これにより、機体の進路が本来走行すべき進路からずれた位置になり、機体の積み込みや収納作業に余分な手間が生じることになる。
【０１１７】
これを防止には、圃場から機体が退出する前に、第１基準点Ａと第２基準点Ｂ、及び基準線Ｒを消去する必要がある。図６及び図１４に示すとおり、走行車体２が圃場の四辺のうち、直進作業走行する進行方向に直交する進行方向を少なくとも一辺含む、三辺の走行が行われる（Ｓ４６〜Ｓ４９）と、枕地作業が行われたと判断して、制御装置１００が第１基準点Ａと第２基準点Ｂ、及び基準線Ｒを削除させる（Ｓ５０およびＳ５１）。
【０１１８】
枕地での走行車体２の進行方向は、ＧＰＳアンテナ２００が取得する走行車体２の位置座標のうち、Ｘ軸座標またはＹ軸座標の変化が連続することで判定される。
【０１１９】
これにより、圃場内を機体が走行している間に第１基準点Ａと第２基準点Ｂ、及び基準線Ｒを削除することができるので、圃場外に出てから自動直進設定部材２０７を操作しても自動直進が行われることがなく、予定の進行方向からずれた方向に走行することが防止され、作業能率の低下が防止されると共に、作業の安全性が向上する。
【０１２０】
また、機体を別の圃場に移動させたとき、第１基準点Ａと第２基準点Ｂ、及び基準線Ｒが記録されていないことにより、作業中の圃場に適さない基準線Ｒに基づき自動直進制御が行われることを防止できるので、自動直進の精度が向上する。
【０１２１】
なお、圃場外に移動したときは、短時間で移送用のトラックに移動させる、あるいは納屋に移動させるべく、前記副変速操作レバー３７を走行ポジションに操作する。この走行ポジションへの副変速操作レバー３７の操作を検知する副変速位置検知スイッチ３７ａを設け、副変速位置検知スイッチ３７ａが走行ポジションに副変速操作レバー３７が操作されたことを検知すると、第１基準点Ａと第２基準点Ｂ、及び基準線Ｒを削除する構成としてもよい。
【０１２２】
第１基準点Ａと第２基準点Ｂ、及び基準線Ｒの削除を、圃場内では使用しない走行ポジションへの副変速操作レバー３７の操作に基づき行うことにより、枕地走行時に第１基準点Ａと第２基準点Ｂ、及び基準線Ｒが削除されていないとき、確実に削除することができるので、走行車体２の移動や別の圃場の作業時に自動直進制御が行われることがなく、作業精度の低下が防止される。
【０１２３】
また、副変速操作レバー３７の誤操作により、圃場内で誤って第１基準点Ａと第２基準点Ｂ、及び基準線Ｒを削除することを防止できるので、第１基準点Ａと第２基準点Ｂを取得し直す作業条で自動直進が使えなくなることが防止され、作業精度が向上する。  
【０１２４】
あるいは、前記ＩＭＵ２０３や、走行車体２の前後及び左右方向の傾斜を検知する傾斜センサ２１２を用いて、走行車体２が所定角度以上（例えば、１０〜１５度）前上がり傾斜姿勢になると、制御装置１００は、第１基準点Ａと第２基準点Ｂ、及び基準線Ｒを削除する構成としてもよい。
【０１２５】
圃場から出る際、圃場の出入口を通過する走行車体２は作業中には略なり得ない角度の前上がり傾斜姿勢になるので、この傾斜角度が検知されたときは、圃場から出るときであると判断できる。
【０１２６】
これにより、枕地走行時に第１基準点Ａと第２基準点Ｂ、及び基準線Ｒが削除されていないとき、確実に削除することができるので、走行車体２の移動や別の圃場の作業時に自動直進制御が行われることがなく、作業精度の低下が防止される。
【０１２７】
なお、圃場や作業の内容によっては、走行車体２を後進させて出入口から出ることも考えられるので、前上がり傾斜角度だけでなく、後上がり傾斜角度に基づき第１基準点Ａと第２基準点Ｂ、及び基準線Ｒを削除する制御構成としてもよい。
【０１２８】
前記自動操舵装置２０５により、走行車体２を自動直進走行させているときであっても、作業装置４等が消費する作業資材の補充作業や、機体や圃場に何らかの問題が発生したとき等には、作業者が走行を停止させる必要がある。この走行停止操作は、前記変速操作レバー３６を中立位置に操作して無段変速装置１４を中立にする、ブレーキペダルを踏んでブレーキを利かせる、サイドクラッチペダル４３ａを踏んでサイドクラッチ４３を切状態にする、という方法が考えられる。
【０１２９】
上記の何れかの方法で走行車体２の走行を停止させたときであっても、制御装置１００は、前記自動操舵装置２０５を停止させない構成とする。
【０１３０】
これにより、変速操作レバー３６を前進操作する、ブレーキペダルやサイドクラッチペダル４３ａの操作を解除するなどして、走行停止を解除すると、すぐに自動直進走行に復帰することが可能になり、作業能率の低下が防止される。
【０１３１】
しかしながら、停止中にハンドル３５が手動操舵される、あるいは自動操舵装置２０５が作動してハンドル３５が自動操舵されると、自動直進走行の再開時の進行方向が停止時の進行方向からずれてしまい、走行車体２の進行方向が直線状でなくなるおそれがある。
【０１３２】
特に、走行車体２が停止していると、ＧＰＳアンテナ２００が取得する位置座標は、地球の自転やＧＰＳ衛星の公転等の影響を受けやすく、実際の走行車体２が存在する位置とは異なる位置座標を取得することがあり、基準線Ｒから離れた位置にある、と誤認されやすくなる。
【０１３３】
これを防止すべく、前記変速操作レバー３６の操作位置を検知するレバーポテンショメータ３６ａ、ブレーキペダルやクラッチペダルの踏込操作を検知する踏込検知スイッチ２１３を設け、自動直進走行中に走行を停止させる操作が検知されると、制御装置１００は、ハンドル３５の操舵操作を反映しない、あるいはハンドル３５を動かなくする構成とする。
【０１３４】
ハンドル３５の操舵操作を反映しない構成とは、停車時の走行車体２の位置座標のＸ座標が基準線ＲのＸ座標から所定値以上ずれていても、操舵アクチュエータ２０６を作動させないことを意味する。  
【０１３５】
また、ハンドル３５を動かなくする構成とは、操舵アクチュエータ２０６の作動トルクを高くし、ハンドルロック状態にすることを意味する。
【０１３６】
上記構成により、走行再開後の進行方向がずれることを防止できるので、作業走行が直線状で行われ、作業精度の向上が図られる。
【０１３７】
前記ハンドル３５は、自動直進走行中は操舵アクチュエータ２０６により自動操舵されるが、進路上の圃場の状態が自動直進走行に適さない（荒れている、圃場深度が深い、等）、障害物が存在する等の状況では、手動操作により回避行動をとる必要がある。
【０１３８】
前記操舵アクチュエータ２０６によるハンドル３５の操舵操作は、次の構成により行われる。該ハンドル３５の操舵操作に連動して回動するハンドル軸３５１の下部には入力ギア３５２を設け、操舵アクチュエータ２０６には出力ギア３５３を設ける。
【０１３９】
該入力ギア３５２と出力ギア３５３は、ハンドル３５及び操舵アクチュエータ２０６の下方に配置される操舵ギアケース３５４に内装される。そして、該入力ギア３５２と出力ギア３５３の間には、伝動比を変更して駆動力を伝動する中継ギア３５５を設ける。
【０１４０】
該入力ギア３５２、出力ギア３５３及び中継ギア３５５のギア比は、ハンドル３５の手動操作を妨げることを防止すべく、操舵アクチュエータ２０６が作動していても、手動操作によるトルクが強くなるギア比とする。
【０１４１】
これにより、自動直進中であってもハンドル３５の手動操作に要する力が増大することを防止できるので、操作性が向上すると共に、走行に影響し得る状態の圃場や障害物を確実に回避することができるので、作業の安全性が確保される。
【０１４２】
ここからは、本実施の形態の苗移植機のより具体的な構成および動作についての説明を始める。
【０１４３】
作業装置４、センターフロート６２Ｃおよび整地ロータ６３は、走行車体２へ取付けられた装置である。ハンドル３５は、走行車体２を操舵する部材である。ＧＰＳアンテナ２００は、走行車体２の位置情報を取得する装置である。自動直進設定部材２０７は、走行車体２を直進させるときに利用される基準位置情報を取得するためのユーザ指示を受付ける部材である。自動操舵装置２０５は、走行車体２を直進させるようにハンドル３５を操作する装置である。制御装置１００は、基準位置情報に基づき、自動操舵装置２０５にハンドル３５を操作させるための自動直進制御を実行する装置である。制御装置１００は、基準位置情報に基づき、直進基準線Ｒ、および直進基準線Ｒと平行な単数または複数の直進目標線Ｔを算出し、無線通信を利用して、走行車体２へ載置されたタブレット端末１０００に直進基準線Ｒおよび直進目標線Ｔを表示することができる。
【０１４４】
基準位置情報として取得される走行車体２の位置情報は、より正確な基準位置情報が得られるように、自動直進設定部材２０７を利用するユーザ指示に応じたタイミングで算出されてもよいし、ユーザ指示に関わりなく定期的に算出される位置情報の内からユーザ指示に応じて選択的に特定されてもよい。
【０１４５】
より具体的に説明すると、つぎの通りである。
【０１４６】
すなわち、位置情報は、走行軌跡Ｌの表示などを行うために、ＧＰＳ衛星から送信されてくる信号を受信することにより、自動直進設定部材２０７を利用するユーザ指示に関わりなく定期的に算出されている。このような定期的な位置情報の算出は、ＧＰＳ衛星から送信されてくる信号の全部を利用してかなり小さい時間間隔で行われてもよいし、ＧＰＳ衛星から送信されてくる信号の一部を利用してやや大きい時間間隔で行われてもよい。位置情報の算出がかなり小さい時間間隔で行われる前者の場合には、自動直進設定部材２０７を利用するユーザ指示に最も近いタイミングで算出された位置情報が基準位置情報として好適に採用される。位置情報の算出がやや大きい時間間隔で行われる後者の場合には、自動直進設定部材２０７を利用するユーザ指示に最も近いタイミングで算出された位置情報が基準位置情報として同様に採用されてもよいが、より正確な基準位置情報が得られるように、ユーザ指示に応じたタイミングで特別に算出された位置情報が基準位置情報として好適に採用されてもよい。
【０１４７】
ＧＮＳＳアンテナ２００と、三軸の加速度センサおよびジャイロスコープなどの角速度センサを有する慣性計測装置としてのＩＭＵ２０３と、ステアリングモータとしての操舵アクチュエータ２０６と、を搭載し、自動直進する田植機などのような苗移植機において、自動直進のセット、リセットが可能な自動設定スイッチと、圃場毎に自動直進の直進基準線Ｒが始まる第１基準点Ａ、および直進基準線Ｒが終わる第２基準点Ｂを指示する操作スイッチと、を兼ねる自動直進設定部材２０７を設け、直進基準線Ｒと、直進基準線Ｒに平行な直進目標線Ｔと、をタブレット端末１０００等のモニタに表示する構成とし、直進基準線Ｒや直進目標線Ｔの情報は、ブルートゥース（登録商標）などのような無線通信で車両コントローラとしての制御装置１００の無線送受信部１００ｙからタブレット端末１０００に送信する。
【０１４８】
もちろん、第１基準点Ａおよび第２基準点Ｂを指示するこのような操作スイッチは、自動直進の自動設定スイッチとは別に設けられたスイッチであってもよい。
【０１４９】
市販の自動直進ガイダンス装置は、Ａ−Ｂ点操作が行われる、走行車体２に固定された本体モニタと、ＧＰＳアンテナ２００と、の間においては、有線通信で信号が検出されている。
【０１５０】
本実施の形態においては、市販タブレットとしてのタブレット端末１０００が無線通信を介して使用可能となり、容易に自動直進ガイダンスを提供できる。
【０１５１】
そして、本実施の形態の苗移植機は、自動直進ガイダンス機能なしでも、運転操作および案内ガイドなどに関する情報を表示する機能を有する商品として成立する。
【０１５２】
たとえば、作業装置情報も加味された走行車体２の左右幅を示す仮想線とともに、直進目標線Ｔをタブレット端末１０００に表示することにより、自動操舵装置２０５による機体の直進が正しいかどうかを直感的に判断しやすくなるので、走行位置が自動直進すべき位置から離れていても早期に修正が可能であり、正確な直進走行作業が可能になる。
【０１５３】
着脱可能なタブレット端末１０００を情報の表示装置とすることにより、専用のディスプレイが必要でなくなるので、部品数の削減が図られると共に、連結用のハーネスも不要になり、メンテナンス性が向上する。また、直進目標線Ｔの表示が不要であれば、タブレット端末１０００も省略できる。
【０１５４】
自動直進設定部材２０７がユーザ操作レバーとして実装されるので、直進走行の基準位置が、上述された従来技術におけるように、誤操作による作業装置４などの入切にともなって自動的に取得されてしまうことは防止される。
【０１５５】
より具体的に説明すると、つぎの通りである。  
【０１５６】
タブレット端末１０００のディスプレイに基準線Ｒと走行軌跡Ｌが表示されることにより、自動操舵装置２０５が作動しているかどうかや、自動直進走行に異常が生じていないかどうかを視覚的に判断することができ、自動操舵装置２０５を作動させ忘れたまま作業走行を行い、作業軌跡が乱れることや、自動直進走行が本来走行すべき軌跡を外れることが防止される。
【０１５７】
そして、タブレット端末１０００は着脱可能に車体に装着され、自動操舵装置２０５を制御する制御装置１００の無線送受信部１００ｙに無線接続されるので、装置の部品数が増えず、メンテナンス性が低下する問題がない。
【０１５８】
また、タブレット端末１０００のディスプレイは自動直進の基準線Ｒと走行軌跡Ｌ等のような直進走行に関する情報のみが表示されるものではないので、他の情報を表示する別のディスプレイを用意する必要がない。これにより、作業者は複数のディスプレイを見る必要がないので、作業者の労力が増加しないと共に、ディスプレイが複数箇所に配置されないことにより、機体周辺の視認性が悪くなる問題がない。
【０１５９】
基準位置情報は、直進基準線Ｒが始まる第１基準点Ａに対応する第１基準位置情報と、直進基準線Ｒが終わる第２基準点Ｂに対応する第２基準位置情報と、である。第１基準位置情報が取得されると、走行車体２の走行軌跡Ｌがタブレット端末１０００に表示される。第２基準位置情報が取得されると、直進目標線Ｔがタブレット端末１０００に表示される。
【０１６０】
タブレット端末１０００が制御装置１００の無線送受信部１００ｙから無線通信で直進基準線Ｒの設定開始情報（第１基準点Ａをセットするための情報）を受信したら、タブレット端末１０００に走行軌跡Ｌの表示を開始する。走行軌跡Ｌの情報は、制御装置１００の無線送受信部１００ｙから定期的に無線送信されるＧＮＳＳ位置情報に基づき表示する。
【０１６１】
直進基準線Ｒそのものがまだ表示されていなくても、直進基準線Ｒの設定開始が、走行軌跡Ｌが表示されるので、モニタにより確認でき、安心感がある。
【０１６２】
タブレット端末１０００が制御装置１００の無線送受信部１００ｙから無線通信で直進基準線Ｒの設定終了情報（第２基準点Ｂをセットするための情報）を受信したら、タブレット端末１０００に次工程以降の直進目標線Ｔを表示する。
【０１６３】
画面に表示された次工程以降の直進目標線Ｔは、旋回時の深水等でマーカライン等が見えにくい場合でも、目安になる。
【０１６４】
本発明における実施の形態の苗移植機のタブレット端末１０００における直進基準線Ｒ、直進目標線Ｔおよび走行軌跡Ｌの経時的な表示の説明図（その一から五）である図１５（ａ）〜（ｅ）に示されているように、直進基準線Ｒ、直進目標線Ｔおよび走行軌跡Ｌは表示される。
【０１６５】
図１５（ａ）においては、第１基準点Ａに対応する第１基準位置情報が受信された圃場の走行マップが示されている。図１５（ｂ）においては、走行軌跡Ｌが表示され始めた圃場の走行マップが示されている。図１５（ｃ）においては、第２基準点Ｂに対応する第２基準位置情報が受信され、直進基準線Ｒが表示された圃場の走行マップが示されている。図１５（ｄ）においては、直進目標線Ｔが機種条数に応じて生成され表示された圃場の走行マップが示されている。図１５（ｅ）においては、走行軌跡Ｌが走行進行に応じて引続き表示されていく圃場の走行マップが示されている。
【０１６６】
第１基準位置Ａの取得に基づきタブレット端末１０００に走行軌跡Ｌを表示したり、第２基準位置Ｂの取得に基づきタブレット端末１０００に直進基準線Ｒを表示したりすることにより、自動操舵装置２０５が作動していることを作業者が確認しやすくなり、自動操舵装置２０５が作動していないまま作業を行うことが防止される。
【０１６７】
次工程以降の直進目標線Ｔが表示されることにより、旋回走行時の走行軌跡Ｌが表示されるかどうかに関わらず、圃場端での旋回走行時に機体を移動させることが望ましい位置を視覚的な直感に基づいて把握しやすいので、旋回後に機体の位置を修正する作業が不要になる。
【０１６８】
整地クラッチ６６は、整地ロータ６３へ伝達される動力をオンオフするクラッチである。作業検知センサ２０９は、整地ロータ６３へ伝達される動力のオンオフ状態を検出するセンサである。走行軌跡Ｌは、整地ロータ６３へ伝達される動力のオン状態が作業検知センサ２０９により検出されているときに、タブレット端末１０００に表示される。
【０１６９】
本発明における実施の形態の苗移植機の自動直進走行の説明図である図１６においては、進入路入口であり退出路出口でもある圃場出入口１６０１が設けられた圃場が示されており、作業幅が理解しやすいように、各作業条の両端点における作業装置４の起点にほぼ相当する位置が白い長方形で示されている。直進基準線Ｒとほぼ平行なＸ方向に隣接する複数の線分からなる走行軌跡Ｌは、自動直進走行による軌跡であり、一点鎖線で示されている。直進目標線Ｔの圃場端部に近接する端点は、第１基準位置情報および第２基準位置情報からは確定されない。しかしながら、圃場端部における旋回は自動直進走行ではなく手動走行で行われるので、ユーザは自動直進走行から手動走行への切替えを行うようにブザーなどを利用して促される。より具体的には、整地ロータ６３の入切位置がメモリ領域に記録されており、ブザーは、たとえば、旋回前に切られた整地ロータ６３が旋回後に再び入れられた、直前の作業条における位置１６０３が有するＹ座標に基づいて決定されたＹ座標を有する位置１６０４で時間的余裕をもって鳴動される。自動直進走行が可能である自動直進走行領域１６０２の外側の回廊部分においては、枕地走行が行われてもよい。
【０１７０】
変形例の実施の形態においては、走行軌跡Ｌは、作業装置４へ伝達される動力のオン状態が作業検知センサ２０９により検出されているときに、タブレット端末１０００に表示されてもよい。
【０１７１】
本発明における別の実施の形態（その一）の苗移植機の自動直進走行の説明図である図１７においては、Ｙ方向の長さが植付部下降点１７０１のＹ座標および植付部上昇点１７０２のＹ座標に基づいて確定される、植付クラッチにより入切される作業装置４の植付部の昇降に基づいて測定された植付部昇降測定領域１７０３が示されている。ＧＮＳＳアンテナ２００は走行車体２の前端に装着されているので、植付部下降点１７０１のＹ座標は自動直進走行領域１７０４の最小Ｙ座標とほぼ等しいが、植付部上昇点１７０２のＹ座標は自動直進走行領域１７０４の最大Ｙ座標よりやや大きい。
【０１７２】
自動直進走行ではなく手動走行による旋回時の走行軌跡は表示せず、作業装置４の植付部を下降して走行しているときの走行軌跡Ｌを、無線通信で定期的に制御装置１００の無線送受信部１００ｙから送信されるＧＮＳＳ位置データにより、タブレット端末１０００のモニタ画面に表示する。
【０１７３】
すると、自動直進走行による実際的な走行軌跡の履歴が残せる。
【０１７４】
走行軌跡Ｌの表示については、植付状態にあるときのみの軌跡を残す。  
【０１７５】
すると、植付走行軌跡の履歴が残せる。
【０１７６】
走行軌跡Ｌの表示については、植付状態にあるときのみの軌跡を残すようにし、植付状態は、植付クラッチが入の時とする。
【０１７７】
すると、実際的な植付走行軌跡の履歴が残せる。
【０１７８】
走行軌跡Ｌの表示については、植付状態にあるときのみの軌跡を残すようにし、植付状態は、整地ロータ６３が入の時とする。
【０１７９】
すると、実際的な植付走行軌跡に相当する走行軌跡の履歴が残せる。
【０１８０】
作業装置４を使用する直進走行時の走行軌跡Ｌを表示することにより、意図した直進走行が行われているかどうかを判断することができるので、不適当であるときは作業者が早期に修正することができ、作業の適正化が図られる。
【０１８１】
隣接する作業済みの条と現在の作業条の間に未作業領域（例：土が耕されていない領域、または苗の条間（左右間隔）が作業機の設定条間よりも広い領域、等）が生じているかどうか、作業領域が重複しているかどうかを早期に判断できるので、作業の適正化が図られる。
【０１８２】
制御装置１００は、直進目標線Ｔを算出するときに、作業装置４に関する作業装置情報を加味する。
【０１８３】
制御装置１００に記憶している車両機種型式情報と、タブレット端末１０００のメモリの車両機種型式情報と、に基づき、条幅および条数（３０ｃｍの条幅で８条植え、または３３ｃｍの条幅で８条植え等）を判断して作業幅を演算し、次工程以降の直進目標線Ｔを表示する。無線情報の受信でタブレット端末１０００の車両データを確認するので、正確な植付走行軌跡の履歴が残せる。
【０１８４】
走行目標ライン表示については、第１基準点Ａと第２基準点Ｂとを結んだ直線と平行な直線を次工程以降の全部または一部の直進目標線Ｔとして表示するので、相対位置での目標位置が表示できる。たとえば、自動直進走行の実行が困難であることが分かった場合には、次回の作業のための反省材料として利用したり、土壌改良に利用したりするために、得られたデータを蓄積してもよい。
【０１８５】
直進目標線Ｔは細線表示とし、走行軌跡Ｌは作業幅を塗りつぶす表示とするので、ガイダンス表示が解りやすい。
【０１８６】
作業装置４の左右幅を基準として直進目標線Ｔをタブレット端末１０００に表示することにより、作業装置４の作業位置が重複することや、作業位置同士の間に間隔が空くことのない作業条ごとの走行軌跡Ｌを示すことができるので、自動直進による進行方向が適切であるかどうかを判断しやすくなる。
【０１８７】
圃場端での旋回走行時に機体を移動させることが望ましい位置を視覚的な直感に基づいて把握しやすいので、旋回後に機体の位置を修正する作業が不要になる。
【０１８８】
タブレット端末１０００には、直進基準線Ｒおよび直進目標線Ｔを表示するための走行マッププログラム、圃場の深度を表示するための圃場深度マッププログラム、および圃場に散布される資材の散布量を表示するための資材散布量マッププログラムの内から所定のプログラムを選択することができる管理アプリケーションがインストールされており、選択された所定のプログラムに応じたマップが表示される。
【０１８９】
走行マッププログラム以外の表示画面を持つように構成し、直進目標線Ｔや走行軌跡Ｌの表示画面と、可変施肥田植機の資材散布量マッププログラムや作土深等の圃場深度マッププログラムの表示画面と、を選択的に表示可能に構成し、切り替え操作により、たとえば、自動直進の画面表示と、可変施肥の画面表示と、を切り替え表示する。すると、施肥作業結果を目視で確認したり、土壌の硬盤の高さの違いを間接的に認識したりするための、タブレット端末１０００のモニタの活用ができて、多機能な使い方ができる。
【０１９０】
走行マッププログラム以外の表示画面を持つように構成し、タブレット端末１０００の画面内に、タッチパネルのアイコンなどのような画面表示切替え用のタッチスイッチ部を設けてもよい。
【０１９１】
圃場内での走行軌跡Ｌの表示は、圃場外へ出たと判断するための所定のルールに基づき、自動的に終了してもよい。すると、直進目標線Ｔによるガイダンス表示や走行軌跡Ｌによる軌跡表示が自動的に変更になり、操作が簡単である。
【０１９２】
たとえば、作業がまだ開始されていない場合などのような、第１基準点Ａおよび第２基準点Ｂが取得されていない場合は、当該圃場および周辺の圃場が表示される広域圃場表示が行われ、第１基準点Ａの取得に基づき、当該圃場の圃場内ガイダンス表示への自動的な変更が行われてもよい。
【０１９３】
上述されたように、第１基準点Ａおよび第２基準点Ｂが記録されている状態で、直進基準線Ｒと直交する方位（直交する方位でなくても、たとえば、規定された角度以上異なる方位であってもよい）での植付けがあり、直進基準線Ｒと平行な１辺を含む３辺の植付け（枕地の植付け）が終了しているというルールで第１基準点Ａおよび第２基準点Ｂを消去する仕様が、採用されてもよい。すると、自動消去によるオペレータの負担軽減が、期待される。
【０１９４】
第１基準点Ａおよび第２基準点Ｂを消去する動作に基づき、走行軌跡Ｌの画面データをタブレット端末１０００に記録（保存）してもよい。すると、圃場植付の終了に関する実績データを記録することができる。
【０１９５】
ＧＮＳＳアンテナ２００及び整地ロータ６３を有する自動操舵機能を持つ田植機において自動操舵を開始する際、第１基準点Ａから所定距離離れた位置として第２基準点Ｂが確定されなくても、走行方位の目標方位からのずれ角度が所定範囲以内にある場合には、第１基準点Ａおよび目標方位に基づいて自動操舵を開始することができる。すなわち、目標方位があらかじめ分かっており、走行車体２の向きが目標方位に応じた正しい向きであるという前提条件の下では、第２基準点Ｂが確定されなくても、第１基準点ＡのＸ座標およびＹ座標と、方位センサ２０４の検出結果と、を利用して直進基準線Ｒを作成し、ティーチング走行なく直ちに自動直進を開始することができる。所定間隔をおいて直進基準線Ｒと平行な直進目標線Ｔをユーザ指示に応じて設定する仕様とは異なり、隣接条における植付けを行わずに枕地における植付けを行うといった理由で直進目標線Ｔを表示する必要が無い場合があっても、不必要に表示されてしまった直進目標線Ｔを消去するための補正の必要が無い。
【０１９６】
ＧＮＳＳアンテナ２００及び整地ロータ６３を有する自動操舵機能を持つ田植機において自動操舵を行う場合に、直前の作業条における整地ロータ６３の作動距離の測定データに基づいて畦際から一定距離手前で警報し、所定時間の警報の後に、エンジン３０は停止させないで、自動で減速させて走行車体２を停止させるための制御を無段変速装置１４のＨＳＴサーボモータ２１１に対して行ってもよい。すると、畦際に接近した場合、機体が田面への苗の植え付けを終了した、又は田面への種籾の供給を終了する作業終了位置に達したことが検出されると、報知する仕様とは異なり、当該作業条における植付を行わなくても、直前の作業条における整地ロータ６３の作動距離を利用した疑似的な距離測定ができるので、畦際への接近を同様に報知することができる。
【０１９７】
直進目標ラインや走行軌跡を表示する走行マッププログラム、圃場の深さ（表土の厚み）を表示する深度マッププログラム、肥料や薬剤の供給量の増減を示す供給マッププログラム等を管理する管理アプリケーション内のプログラムをプログラム選択部（切替アイコン）で選択し、複数の情報ごとのマップをタブレット端末１０００に表示させることにより、作業者は、直進走行に支障の出やすい、合筆などにともなう圃場の硬盤の深さの変化する点を把握することができるので、該当箇所でハンドル３５をマニュアル操作するなどして進路を直進走行方向に補正でき、作業位置のずれの発生が防止される。
【０１９８】
圃場の場所ごとに、過去に供給した肥料や薬剤の量を確認できることにより、施肥装置５や薬剤散布装置の設定の切替タイミングが計りやすくなる、あるいは肥料や薬剤の供給量の自動変更が適切に行われているかどうかを判断しやすくなり、肥料や薬剤の供給量の適正化が図られる。
【０１９９】
制御装置１００は、自動操舵装置２０５によるハンドル３５の操作に関する複数の操舵部材操作モードの内から選択された所定の操舵部材操作モードに応じた自動直進制御を実行する。操舵部材操作モードの選択は、ユーザ指示に応じて手動で行われる。
【０２００】
より具体的には、ＧＮＳＳアンテナ２００を有する自動操舵機能を持つ田植機において、操舵アクチュエータ２０６を土質および水深などに応じた最適なモータトルクで駆動する複数の操舵制御パターンを格納するメモリ機能が実装されており、ユーザが車載モニタの表示を見ながら手動で操舵制御パターンを設定するためのモード変更スイッチ１００ｘ（図６参照）などのような設定装置を備えている。
【０２０１】
なお、操舵部材操作モードの選択は、センターフロート６２Ｃの動作に関する複数の作業装置動作モードの内から選択された所定の作業装置動作モードに連動して自動で行われてもよい。
【０２０２】
より具体的には、操舵部材操作モードの選択は、土が硬い場合にはセンターフロート６２Ｃの回動ポテンショメータ６４の不感帯幅が増大させられ、土が柔らかい場合には回動ポテンショメータ６４の不感帯幅が減少させられる、土質に応じたいわゆるフロート感度調節を行うためのフロート感度ダイアル操作に連動して自動で行われる。
【０２０３】
すると、最適な操舵制御パターンに設定できる。そして、多目的仕様での直播、作業装置４の植付部での切替による操舵アクチュエータ２０６に対する前輪１０の応答速度の差を解消できる。
【０２０４】
ハンドル３５を作動させる条件を選択できることにより、圃場の土質や水の有無等の条件の違いや、作業を行う機体の違いに合わせて自動操舵装置２０５でハンドル３５を適正に作動させることができるので、直進走行が適切に行われ、作業精度が向上する。
【０２０５】
作業装置４の作業条件を変更すると、ハンドル３５の作動条件が連動して変更されることにより、自動操舵装置２０５でハンドル３５を適正に作動させることができるので、直進走行が適切に行われ、作業精度が向上する。
【０２０６】
自動操舵装置２０５は、入力パルス信号に応じたモータ動作量で動作する操舵アクチュエータ２０６を有する。制御装置１００は、モータ動作量の入力パルス信号に対するずれが所定レベルを超えているときに、自動操舵装置２０５を停止させるための制御を実行する。
【０２０７】
本発明における実施の形態の苗移植機の操舵アクチュエータ２０６近傍の部分正面図である図１８に示されているように、走行車体２を直進させるようにハンドル３５を操作する操舵アクチュエータ２０６の自動操舵用モータには、トルクジェネレータ１８０１が接続されている。
【０２０８】
圃場からの外力によりハンドル３５が回されることがあるトルクジェネレータ１８０１を備えた自動操舵田植機または播種機においては、脱輪等が発生したときに、自動操舵用モータが前輪１０からの外力のために入力パルス信号に同期して回転しなくなった状態が一定時間以上続くと、自動操舵を停止する。このような自動操舵用モータはステッピングモータであることが、望ましい。
【０２０９】
ステアリングハンドルからの手動操作による電流値の増加、およびトルクの上昇による自動操舵の停止は安全性を向上させる有効な技術であるが、前輪１０の側から動かされない、通常の自動車に搭載されるエンジンと区別してノンロードエンジンと呼ばれる小形汎用ガソリンエンジンのトルクジェネレータにしか十分には有効でない。これに対して、トルクジェネレータ１８０１は、脱輪等で自動操舵用モータが脱調した場合における安全性をも向上させる。
【０２１０】
そして、操舵アクチュエータ２０６のモータまたはセンサの故障が発生したときに、自動操舵用モータが入力パルス信号に同期して回転しない状態が一定時間以上続くと、自動操舵を停止してもよい。すると、ステアリングハンドルからの手動操作による電流値の増加、およびトルクの上昇による自動操舵の停止が手動操作で自動制御操舵と逆向きの操舵をした場合において有効であるように、脱輪等で自動操舵用モータが脱調した場合における安全性が向上される。
【０２１１】
さらに、手動操作が発生したときに、自動操舵用モータが入力パルス信号に同期して回転しない状態が一定時間以上続くと、自動操舵を停止してもよい。すると、作業位置が自動操舵によりかえってずれてしまう現象が抑制される。
【０２１２】
前輪１０にかかる接地抵抗等により操舵アクチュエータ２０６に過度のトルクが要求され、入力パルス信号に対して操舵アクチュエータ２０６のモータの回転量が少なくなると、自動操舵装置２０５を停止させることにより、操舵アクチュエータ２０６に過負荷がかかって破損することを防止できる。
【０２１３】
また、前輪１０が自動直進方向にステアリングできない状況に陥っていることを判断できるので、実際の走行軌跡が直進目標線Ｔからずれた状態で走行することを防止できる。
【０２１４】
本発明における別の実施の形態（その二）の苗移植機の平面図である図１９（ａ）、および本発明における別の実施の形態（その二）の苗移植機の側面図である図１９（ｂ）に示されているように、ＧＰＳアンテナ２００を前輪１０の軸上に配置し、走行車体２の側のピッチングおよびローリングに起因する姿勢変化の影響を低減するために、ＧＮＳＳアンテナ２００のステーとしてローリング方向からも増設アンテナステー部材１９０１を伸ばしてもよい。
【０２１５】
すると、ピッチング方向を抑えるように本体アンテナステー部材１９０２が伸びているもののローリング方向がフリーであるために振動が起きやすいということはなくなるので、ローリング方向の微振動を抑え、自動直進制御の精度を向上させることができる。
【０２１６】
そして、本発明における別の実施の形態（その三）の苗移植機の平面図である図２０（ａ）、および本発明における別の実施の形態（その三）の苗移植機の側面図である図２０（ｂ）に示されているように、苗補給時の安全のため、フロアステップ３３の外側に手すりを兼用する増設アンテナステー部材２００１を伸ばしてもよい。
【０２１７】
上記増設アンテナステー部材２００１は、平面視において、機体左右方向の中央部から機体左右両側に、進行方向に直交する姿勢、乃至機体左右外側に向かうほど後方に向かう姿勢で前側補強アーム２００２を各々設け、前側補強アーム２００２よりも機体後側に、機体左右外側に向かうほど後方に向かう後側補強アーム２００３を、前側補強アーム２００２よりも急な角度で各々設ける。なお、後側補強アーム２００３の基部は、前側補強アーム２００２よりも機体内側に配置する。また、側面視においては、前側補強アーム２００２はフロアステップ３３にほぼ垂直となる姿勢となり、後側補強アーム２００３は上方から下方に向かうほど機体後側に向かう傾斜姿勢となる。
【０２１８】
さらに、前側補強アーム２００２と後側補強アーム２００３は、機体前後方向で且つフロアステップ３３にほぼ平行となる姿勢の連結アーム２００４で連結する。なお、連結アーム２００４は、作業座席４１の座面とほぼ同じ乃至座面よりもやや高い位置に設定する。
【０２１９】
また、図２０（ａ）および（ｂ）で示すとおり、前側補強アーム２００２、後側補強アーム２００３及び連結アーム２００４は、三角形に近い形状となるトラス構造で組み合わせられる。
【０２２０】
上記により、作業者は作業場所に応じて前側補強アーム２００２、後側補強アーム２００３及び連結アーム２００４のうち掴んで姿勢保持しやすい箇所を選ぶことができるので、比較的楽な姿勢を保持することができ、作業能率の向上や疲労の軽減が図られる。
【０２２１】
また、前側補強アーム２００２は作業座席４１の側方に位置し、作業者が走行車体２の側方から乗り降りする位置の近くに配置されるので、乗り降りの際の手摺として利用することができ、乗り降りの迅速化や安全性の向上が図られる。
【０２２２】
さらに、前側補強アーム２００２、後側補強アーム２００３及び連結アーム２００４がトラス構造で組み合わせられることにより、増設アンテナステー部材２００１の強度が向上する。
【０２２３】
すると、ローリング方向の微振動を抑え、自動直進制御の精度を向上させることができるのみならず、苗補給時の安全性も向上させることができる。
【０２２４】
本発明における別の実施の形態（その四）の苗移植機の側面図である図２１に示されているように、作業座席４１の下に、作業座席４１の僅かな回動を回動支点２１０３の周りで前後方向において許容するためのスプリング２１０１と、プッシュセンサ２１０２と、を設け、ユーザが着座しているか否かをプッシュセンサ２１０２で検知してもよい。走行車体２の移動中に３０秒以上ユーザの着座がなければ、警告音を５秒鳴らした後、走行車体２を停止させる。
【０２２５】
すると、プッシュセンサ２１０２の検知結果に基づいて、作業座席４１を離れての移動中の苗補給が危険であることを警告したり、走行車体２を停止させたりすることができるのみならず、スプリング２１０１の弾性力を利用して、作業座席４１からのつきあげのために乗り心地が悪くなってしまうことを抑制できる。
【０２２６】
すなわち、安全性の確保が苗補給時に関して向上されるのみならず、乗り心地がよくなる。
【産業上の利用可能性】
【０２２７】
本発明における作業車両は、直進走行の基準位置が誤操作で取得されることを防止できると共に、部品数の増大を抑えることができ、圃場内を走行し、走行車体に走行した作業装置で対地作業を行う作業車両に利用する目的に有用である。
【符号の説明】
【０２２８】
２  走行車体
２５  昇降シリンダ
３５  ハンドル（操舵部材）
４１  操縦座席
６２Ｃ  センターフロート（フロート）
６４  回動ポテンショメータ
１００  制御装置
２００  ＧＰＳアンテナ（位置情報取得部材）
２０１  アンテナフレーム
２０１ａ  前側フレーム
２０１ｂ  後側フレーム
２０５  自動操舵装置（直進装置）
２０７  自動直進設定部材（ユーザ指示部材）
【図１】
2018183130.tif 000003
【図２】
2018183130.tif 000004
【図３】
2018183130.tif 000005
【図４】
2018183130.tif 000006
【図５】
2018183130.tif 000007
【図６】
2018183130.tif 000008
【図７】
2018183130.tif 000009
【図８】
2018183130.tif 000010
【図９】
2018183130.tif 000011
【図１０】
2018183130.tif 000012
【図１１】
2018183130.tif 000013
【図１２】
2018183130.tif 000014
【図１３】
2018183130.tif 000015
【図１４】
2018183130.tif 000016
【図１５】
2018183130.tif 000017
【図１６】
2018183130.tif 000018
【図１７】
2018183130.tif 000019
【図１８】
2018183130.tif 000020
【図１９】
2018183130.tif 000021
【図２０】
2018183130.tif 000022
【図２１】
2018183130.tif 000023